(57)【要約】      （修正有）【課題】外側ハンドルの操作力を適切な出力に変換して錠部の作動部材に伝達させる錠前用動力変換装置を提供する。【解決手段】扉１の一方の壁面に固定された外側ハンドル用の台座部材、扉に設けられた錠前、この錠前と外側ハンドル用の台座部材との間に介在するように扉に変換ケース１１が固定された錠前用動力変換装置Ｘであって、錠前用動力変換装置は、変換ケースに回転自在に支持されかつ外側ハンドルの操作力で所定量回転するハンドルカム１２Ａと、このハンドルカムの駆動腕１２ｂと係合し、ハンドルカムの駆動力によってかつ復帰バネ１３のバネ力に抗して変換ケースの上下方向へ移動するスライダー１４と、このスライダーに係合腕が係合すると共にハンドルカムに連動するように変換ケースに回転自在に支持されかつ外側ハンドルの操作時にハンドルカムの回転角よりも大きく回転する。【選択図】図４
2014020048.tif 000002
【特許請求の範囲】
【請求項１】
扉の一方の壁面に固定された外側ハンドル用の台座部材、前記扉に設けられた錠前、この錠前と前記外側ハンドル用の台座部材との間に介在するように前記扉に変換ケースが固定された錠前用動力変換装置であって、該錠前用動力変換装置は、前記変換ケースに回転自在に支持されかつ前記外側ハンドルの操作力で所定量回転するハンドルカムと、このハンドルカムの駆動腕と係合し、該ハンドルカムの駆動力によってかつ復帰バネのバネ力に抗して変換ケースの上下方向へ移動するスライダーと、このスライダーに係合腕が係合すると共に、ハンドルカムに連動するように前記変換ケースに回転自在に支持され、かつ前記外側ハンドルの操作時に該ハンドルカムの回転角よりも大きく回転する連動カムを備える錠前用動力変換装置。
【請求項２】
請求項１に於いて、連動カムの回転中心からその係合腕の先端までの距離は、ハンドルカムの回転中心からその駆動腕の先端までの距離よりも短いことを特徴とする錠前用動力変換装置。
【請求項３】
請求項１又は請求項２に於いて、変換ケースは、建具としての扉の自由端部の開口部に嵌め込まれ、また錠前は、扉の他方の壁面に固定されていることを特徴とする錠前用動力変換装置。
【請求項４】
請求項１に於いて、変換ケース内には制御部で制御される駆動源が配設され、該駆動源の駆動力により係止片が作動してハンドルカムを係止する、又はその係止を解くことを特徴とする錠前用動力変換装置。
【請求項５】
請求項１に於いて、扉に設けられた錠前がパニックバーを備え、該パニックバーの操作力で作動する作動部材を介して連動カムを回転させ、錠前の錠止ボルトを錠箱内に完全に戻すことを特徴とする錠前用動力変換装置。
【請求項６】
扉の一方の壁面に固定された外側ハンドル用の台座部材、扉に設けられた錠前、この錠前と前記外側ハンドル用の台座部材との間に介在するように前記扉に変換ケースが固定された錠前用動力変換装置であって、該錠前用動力変換装置は、前記変換ケースに回転自在に支持されかつ前記外側ハンドルの操作力で所定量回転する主動ギヤと、この主動ギヤと噛合し、該主動ギヤの駆動力によってかつ復帰バネのバネ力に抗して変換ケースの上下方向へ移動するラックと、このラックに係合すると共に、前記主動ギヤと別個独立し、しかも該主動ギヤに連動するように前記変換ケースに回転自在に支持され、かつ前記外側ハンドルの操作時に該主動ギヤの回転量よりも回転量が大きい従動ギヤ或いは連動カムを備える錠前用動力変換装置。
【発明の詳細な説明】
【技術分野】
【０００１】
本発明は錠前用動力変換装置に関し、特に、建具としての扉の自由端部に配設される錠前用動力変換装置に関する。
【背景技術】
【０００２】
特許文献１の扉錠装置は、箱錠のハンドルの操作角度を小さくしても、錠前側のカムも回動角度を変更する必要がない利便さを得るために（発明の課題）、「従来のハブ（ハンドルカム）を一次ハブ４３と二次ハブ４４とにより構成される２分割構造のハブ４２とし、ケースに回動可能に嵌着される一次ハブ４３に、偏心軸４９とハンドルＨの嵌合孔４８を設け、ケースに回動可能に嵌着される二次ハブ４４に、偏心軸４９が挿入される軸挿入孔５２と、レトラクタ２１の被押動部３９を押動する押動部２０を設け、一次ハブ４３の回動中心から偏心軸４９までの距離よりも、二次ハブ４４の回動中心から軸挿入孔５２の距離を小さくしたもの」である（符号は特許文献１に記載のもの）。
【０００３】
この特許文献１の扉錠装置は、ハンドル側の動力を変換する部材の点数を減らすことができるという利点があるものの、変換部材としての一次ハブ４３と二次ハブ４４の各嵌合孔４８、５３は、いわば一芯軸上に位置するので、錠前側のカムの位置が限定される。つまり、錠前側のカムの位置を自由に決めることができない。また、ハンドルの角軸が嵌挿する一次ハブ４３の中心孔（嵌合孔）４８から偏心する偏心軸４９を二次ハブ４４の挿入孔５２に嵌め込む必要があるので、錠前側のカム、作動体等を十分に回転させるためには、二次ハブ４４の摺動面５０、挿入孔５２と嵌合孔５３との距離、嵌合孔５３の口径等を精密に成形する必要があるという問題点がある。
【０００４】
特許文献２は、その用途が駅ホームの安全柵の開閉体（パニックドア）に適用するロック装置である。特許文献２に記載のロック装置は、開閉体１の自由端部の本体ケース２に回転支持されたカム軸８と、本体ケース２の縦長スロット２ａに中間部のガイド突起９ａが挿入された揺動リンク９と、縦長スロット２ａに基端部のガイド枢軸１１ａが挿入されたスライドリンク１１と、揺動リンク９とスライドリンク１１を連結する中継リンク１０とからなるリンク機構を、カム軸８の偏心突起８ａを横長スロット７ｃに嵌めたスライダー７の上下動によって伸縮駆動し、錠止ロッド１２をロック位置へと進退させる。
【０００５】
そして、前記開閉体１の電車側の内壁面にパニックレバー６を設け、非常時に該パニックレバー６を押し下げると、前記スライダー７が下方へと移動し、その結果、前記カム軸８及びリンク機構を介して上下方向の錠止ロッド１２，１２を錠止解除の方向へ移動させる（符号は特許文献２に記載のもの）。
【０００６】
しかしながら、特許文献２のパニックドア用ロック装置は、リンク機構を用いるので、構成が複雑である、ホテルの客室の扉に適合しない等の問題点がある。
【０００７】
特許文献３には、ホテルの客室の扉に適用することができる出口装置１０が開示されている。この特許文献３の図１には、客室の扉の内壁面に固定される左右の支持板１３，１３と、これらの支持板の間に一体的に設けられた横長状ケース１２と、このケースの壁面に間隙を有して設けられたパニックバー（図面上、長尺状のプレート）と、このパニックバーの一端部に設けられたキーシリンダー５０と、このキーシリンダー５０の出力軸に連結されたブレーカカム５２と、このブレーカカム５２の回転力によって後退動するデットボルト３０が記載されている。なお、デットボルト３０を後退動させる具体的な構成は、図６に開示されている。
【０００８】
ところで、上記客室の錠部は、客室の扉の外壁面にハンドルユニット（台座、ケース、電源、駆動源、ロック機構など）が設けられ、一方、前記扉の外壁面或いは木口に錠部（錠本体）が設けられ、普通一般に、扉の内外には、前記錠部の錠本体（錠箱）とは別体の内外のハンドルが設けられている。しかし、外国によっては、特許文献３の図１に示すように、内側ハンドルと共に、又は内側ハンドルに代えてパニックバーが設けられている場合がある。
【０００９】
そこで、例えばパニックバーが設けられている実施形態の場合、前記デットボルト３０を後退動させるためには、該デットボルト３０の係合突起と係合するベルクランク（回転体）２２を外側ハンドルの回転量よりも大きくする必要がある。また、サムターン摘みでデットボルト３０を後退動させる場合も同様である。このように内外の動力伝達手段の回転量が異なる場合には、外側ハンドルの操作力を適切な出力に変換して錠部の作動部材に伝達する必要がある。
【先行技術文献】
【特許文献】
【００１０】
【特許文献１】特開平１１−２８０３２１号公報
【特許文献２】特開２００１−２３３１９８号公報
【特許文献３】ＵＳ  ６，４０９，２３２    Ｂ１号公報
【発明の概要】
【発明が解決しようとする課題】
【００１１】
（ａ）外側ハンドルの作動角が小さくても、錠箱内のリトラクターやダルマを介して、ラッチボルト、デッドボルト等の錠止ボルトを錠箱内に完全に戻すことができることである。また特許文献１の問題点を解決することである。
（ｂ）極力、部品点数を少なくして、前記（ａ）の目的を達成することができることである。
（ｃ）変換ケースを外側ハンドル用の台座部材又は錠前とは別個に設けることにより、前記台座部材（例えばハンドル用ケース）を極力薄型に製作することができる、或いは錠前の構成を複雑化しなくても済むことである。
（ｄ）例えば遠隔操作により、ハンドルカムを介して外側ハンドルを間接的にロックすることができることである。
（ｅ）例えば扉の内壁面に設けられた錠前がパニックバーを備え、該パニックバーの操作力で連動カムが回転して、錠前の錠止ボルトを錠箱内に完全に戻すことができることである。
（ｆ）その他の目的として、錠止ボルトを備える錠前と、操作ハンドルを備えるハンドルユニット（台座、ケース、電源、駆動源、ロック機構など）が別体の扉錠装置であって、前記操作ハンドルの操作力を錠部の作動部材に適合するように適切な出力に変換して前記錠前の作動部材に伝達することができること、ホテルの客室の扉に適合すること等である。
【課題を解決するための手段】
【００１２】
本願発明の錠前用動力変換装置は、扉の一方の壁面に固定された外側ハンドル用の台座部材、前記扉に設けられた錠前、この錠前と前記外側ハンドル用の台座部材との間に介在するように前記扉に変換ケースが固定された錠前用動力変換装置であって、該錠前用動力変換装置は、前記変換ケースに回転自在に支持されかつ前記外側ハンドルの操作力で所定量回転するハンドルカムと、このハンドルカムの駆動腕と係合し、該ハンドルカムの駆動力によってかつ復帰バネのバネ力に抗して変換ケースの上下方向へ移動するスライダーと、このスライダーに係合腕が係合すると共に、ハンドルカムに連動するように前記変換ケースに回転自在に支持され、かつ前記外側ハンドルの操作時に該ハンドルカムの回転角よりも大きく回転する連動カムを備えることを特徴とする。
【００１３】
また本願発明の錠前用動力変換装置は、扉の一方の壁面に固定された外側ハンドル用の台座部材、扉に設けられた錠前、この錠前と前記外側ハンドル用の台座部材との間に介在するように前記扉に変換ケースが固定された錠前用動力変換装置であって、該錠前用動力変換装置は、前記変換ケースに回転自在に支持されかつ前記外側ハンドルの操作力で所定量回転する主動ギヤと、この主動ギヤと噛合し、該主動ギヤの駆動力によってかつ復帰バネのバネ力に抗して変換ケースの上下方向へ移動するラックと、このラックに係合すると共に、前記主動ギヤと別個独立し、しかも該主動ギヤに連動するように前記変換ケースに回転自在に支持され、かつ前記外側ハンドルの操作時に該主動ギヤの回転量よりも回転量が大きい従動ギヤ或いは連動カムを備えることを特徴とする。
【発明の効果】
【００１４】
外側操作部材の軸部で回転する駆動部材（例えばハンドルカム）の軸孔と、該駆動部材の軸孔と該駆動部材の駆動力を受ける連動部材（（例えば連動カム）の軸孔が同軸上に位置していない場合であっても、外側ハンドルの操作力を適切な出力に変換して錠部の作動部材に伝達させることができる。付言すると、外側ハンドルの作動角が小さくても、変換ケースに回転自在に装着された連動カムを介して錠前の作動部材（例えば錠箱内のリトラクター、ダルマ等）の移動量、或いは回転量を大きくすることができる。
【００１５】
また、リンク機構を用いていないので、極力、部品点数を少なくすることができる。さらに、実施形態によっては、台座部材と変換ケースが別部材なので台座部材を極力薄型に製作することができる、或いは錠前と変換ケースが別部材なので、変換ケースの中に変換部材を組み込み、錠前の構成をシンプル化することができる。また、外側ハンドルのロック装置を制御する制御部が、例えばホテルの管理室に設けられている実施形態の場合には、遠隔操作により、ハンドルカムを介して外側ハンドルをロックすることができることができる。さらに、扉に設けられた錠前が、例えばパニックバーの操作力で連動カムを回転させて、錠前の錠止ボルトを錠箱内に完全に戻すことができる。加えて、錠止ボルトを備える錠前と、操作ハンドルを備えるハンドルユニットが別体の扉錠装置であっても、前記操作ハンドルの操作力を適切な出力に変換して前記錠前側の作動部材に伝達することができる。
【図面の簡単な説明】
【００１６】
図１乃至図１１は本発明の第１実施形態を示す各説明図、図１２及び図１３は本発明の第２実施形態を示す各説明図、図１４及び図１５は本発明の第３実施形態を示す各説明図、図である。
【図１】本発明の使用態様の一例を示す斜視図。
【図２】平面視からの横断面概略説明図。
【図３】木口側からの縦断面概略説明図。
【図４】ハンドルロック装置を加味した正面視側からの概略説明図。
【図５】錠前用動力変換装置の主要部材の説明図。
【図６】錠前用動力変換装置を構成する主要部材の説明図。
【図７】外側ハンドルと、錠前用動力変換装置を示す斜視図。
【図８】サムターン摘み、又は／及びパニックバーと、錠前用動力変換装置を示す斜視図。
【図９】錠前用動力変換装置と、該動力変換装置とは別個の錠前の錠止ボルトを示す説明図。
【図１０】外側ハンドルを操作したときの動力変換装置の作動状態を示す説明図。（ａ）はハンドルカム１２の初期状態、（ｂ）はハンドルカム１２が所定量回転した状態。
【図１１】サムターン摘み、或いはパニックハンドルを操作した時の作動状態を示す説明図。（ａ）は連動カム２２の初期状態、（ｂ）は連動カム２２が所定量回転した状態。この時、ハンドルカム１２は動かない。
【図１２】第２実施形態を示す主要部の概略説明図。
【図１３】図１２の作動状態を示す概略説明図。
【図１４】第３実施形態を示す主要部の概略説明図。
【図１５】図１４の作動状態を示す概略説明図。
【図１６】内側操作部材の一例を操作した時の説明図。
【発明を実施するための最良の形態】
【００１７】
以下、図面に基づいて第１実施形態を詳細に説明する。図１は本発明の使用態様の斜視図である。この図に於いて、まず１は建具としての扉で、例えばホテルの客室の出入り口に設けられている。もちろん、扉１はホテルの客室用に限定されない。手前側の見える一方の垂直壁面は扉の外壁面１ａ（客室の外）である。一方、向う側の見えない他方の垂直壁面は、扉の内壁面１ｂである。
【００１８】
１ｃは扉の自由端部で、該自由端部１ｃの中央部には開口部１ｄが形成されている。扉１は取付け端部側の丁番を介して水平方向に開閉する。
【００１９】
次に、２は扉１の外壁面１ａに配設されたハンドルユニットである。このハンドルユニットは、例えばハンドル用の台座機能を有するユニットケース２ａと、該ユニットケース２ａ内に組み込まれた図示しないカードリーダ、該カードリーダが読み込んだ情報を制御する制御部、該制御部の制御情報を出力する出力部等で構成された情報制御装置２ｂと、前記ユニットケース２ａの軸孔に軸部が嵌め込まれた外側の操作部材としての外側ハンドル（この実施形態では、Ｌ型のレバーハンドル）２ｃとで構成され、前記ユニットケース２ａの上端部には、客室の識別情報を有するカードキー（情報媒体）３を差し込むことができる挿入口（或いは差し込み口）４が設けられている。
【００２０】
次に、５は扉１の内壁面１ｂに配設された錠部（錠前）で、この錠前の錠箱５ａには、図３に示す錠止ボルト出没機構５ｂが内設され、該錠止ボルト出没機構（錠前の作動部材）５ｂの作動によって、ラッチボルト、デットボルト等の錠止ボルト５ｃが水平方向に進退動する。
【００２１】
６（６ａ，６ｂ）は、扉１の内壁面１ｂに配設された内側の操作部材としてのサムターン摘み６ａ又は／及びパニックバー６ｂ（図８参照）で、この実施形態では、サムターン摘み６ａが錠箱５ａの外壁面に直接又は間接的に設けられている。サムターン摘み６ａを所定量（例えば略９０度）回すと、錠前の作動部材５ｂを介して錠止ボルト５ｃを錠箱５ａ内に完全に引っ込めることができる。
【００２２】
次に、Ｘは本発明の主要部である錠前用動力変換装置で、該錠前用動力変換装置Ｘは、本実施形態では、扉の自由端部１ｃの開口部１ｄに収納されている。すなわち、図１乃至図３で示すように、扉の一方の壁面に固定された外側ハンドル用の台座部材２ａと、前記扉１の他方の壁面に設けられた錠前５と、この錠前と前記台座部材２ａとの間に介在（開口部１ｄに位置）し、かつ、錠前用動力変換装置の主要部材（図５参照）を収納する変換ケース１１とで構成されている。
【００２３】
ここで、図４乃至図８を参照にして、錠前用動力変換装置Ｘの主要部材を説明する。図４はハンドルロック装置Ｙを加味した正面視側からの概略説明図、図５は錠前用動力変換装置の主要部材の説明図である。これらの図に於いて、１１は前述した変換ケースで、この変換ケース１１は、フロントを有するケース本体１１ａと、該ケース本体１１ａの側壁開口を閉鎖する蓋体１１ｂとから構成さていれる。なお、変換ケース１１には、軸用貫通孔、ガイド部材用取付け孔、錠止ボルト用案内窓等が適宜に形成されている。
【００２４】
１２は駆動部材としてのハンドルカムで、このハンドルカム１２は、前記変換ケース１１の中央部に回転自在に支持され、かつ、外側ハンドル２ｃの操作力で所定量回転する（例えば３０度、３５度、４０度など）。
【００２５】
しかして、ハンドルカム１２は、外側ハンドルの角軸（軸部）２ｄが嵌挿するハブ部分１２ａと、該ハブ部分１２ａから半径外方に延在する駆動腕（駆動部分）１２ｂと、この駆動腕１２ｂの反対側で半径外方向に指状に突出する係合部１２ｃとから成り、前記駆動腕１２ｂの先端部の下面は、後述するスライダー１４の受部１４ｂに当接している（図５、図７参照）。
【００２６】
１４はスライダーで、このスライダーはハンドルカム１２の駆動腕１２ｂと係合し、該ハンドルカム１２の駆動力によって、かつ変換ケース１１に内装された復帰バネ１３のバネ力に抗して変換ケース１１の上下方向（実施形態では下方向）へ移動する。
【００２７】
例えば図７を参照にすると、スライダー１４は縦長状のプレートであり、その垂直板部分１４ａの上下端部には垂直案内長孔１５、１５がそれぞれ形成されている。また、スライダー１４の中央部には、一側面から外方向に突出する受部１４ｂが設けられている。本実施形態では、前記受部１４ｂは、前述した駆動腕１２ｂと係合する上面が山形状の係合部分１６と、復帰バネ１３の一端部（上端部）を収納するバネ端支持部１７とを有する。１８は前記垂直板部分１４ａの上端部寄りの部位或いは中央部に形成された連動カム用の被係合部（係合溝、係合孔、切欠など）である。１９は変換ケース１１の後壁に沿うように配設された復帰バネ１３の下端部を支持するバネ受けである。そして、２０は上下の垂直案内長孔１５、１５に係合する案内手段としての一対のガイドピンである。
【００２８】
最後に、２２はハンドルカム１２の上方（本実施形態）或いは下方に併設された連動カムで、この連動カム２２は、断面四角形或いは異径状の変換軸（出力軸）２３が嵌挿するハブ部分２２ａと、該ハブ部分２２ａから半径外方に延在する短杆状の係合腕２２ｂと、この係合腕２２ｂの側壁から水平方向に突出し、かつスライダー１４の被係合部１８に係合する係合ピン２２ｃとから成り、図６で示すように、連動カム２２の回転中心からその係合腕２２ｂの先端までの距離ａは、ハンドルカム１２の回転中心からその駆動腕１２ｂの先端までの距離ｂよりも短い。
【００２９】
付言すると、連動カム２２は、スライダー１７の被係合部１８にその係合腕２２ｂが係合すると共に、ハンドルカム１２と別個独立していると共に、該ハンドルカムに連動するように前記変換ケース１１に回転自在に支持され、かつ前記外側ハンドル２ｃの操作時に該ハンドルカムの回転角よりも大きく回転する（例えば７０度、８０度、９０度など）。
【００３０】
ここで、図４を参照にして、付加的要件であるハンドルロック装置Ｙについて簡単に説明する。ハンドルロック装置Ｙは、例えばホテルの管理室側に配設された制御部３１と、この制御部３１で制御される駆動源（駆動モータ）３２と、この駆動源の駆動力により作動する係止片３３とから構成され、前記駆動源３２は変換ケース１１内に横設されている。また、駆動源３２に交差する係止片３３の下端部は、ハンドルカム１２の指状係合部１２ｃと係脱する。なお、変換ケース１１には、ハンドルロック装置Ｙ用の電源（電池）３４が設けられている。
【００３１】
次に、図９は錠前用動力変換装置Ｘと、該動力変換装置とは別個の錠前の錠止ボルト５ｃを示す説明図、図１０は外側ハンドルを操作したときの動力変換装置の作動状態を示す説明図、図１１はサムターン摘み６ａあるいは、パニックハンドル６ｂを操作した時の作動状態を示す説明図である。
【００３２】
前述したように、図９で示す錠止ボルト５ｃは、変換ケース１１ではなく、錠箱５ａに出没自在に設けられている。図１０は外側ハンドル２ｃを操作した場合に於いて、錠止ボルト５ｃが錠箱５ａ内に完全に後退動する説明図である。図１０（ａ）の初期状態では、錠止ボルト５ｃが錠箱５ａから完全に突出している。復帰バネ１３は伸長している。駆動部材としてのハンドルカム１２の駆動腕１２ｂは角軸２ｄの中心よりも右上に位置している。また、連動部材としての連動カム２２の係合腕２２ｂの係合ピン２２ｃも、ハンドルカム１２の駆動腕１２ｂと同様に変換軸（出力軸）２３の中心よりも右上に位置している。そして、外側ハンドル２ｃの操作部分は水平状態である。
【００３３】
一方、図１０（ｂ）は外側ハンドル２ｃの操作部分を所要量押し下げ状態を示す。外側ハンドル２ｃを操作すると、その操作力は駆動腕１２ｂ及び受部１４ｂを介してスライダー１４に伝わり、スライダー１４は復帰バネ１３のバネ力に抗して矢印で示す下方へと移動する。したがって、復帰バネ１３は収縮する。この時、連動カム２２は略同期して、或いは設計如何によっては、若干遅延してハンドルカム１２と同じ方向へ回転するが、本実施形態では、連動カム２２の回転中心からその係合腕２２ｂの先端（実施形態では係合ピン）までの距離ａは、ハンドルカム１２の回転中心からその駆動腕１２ｂの先端（実施形態では先端部分）までの距離ｂよりも短いので、例えばハンドルカム１２が３０度、４０度等回転すると、連動カム２２が７０度、９０度等回転する。このように、錠前用動力変換装置Ｘによって、外側ハンドル２ｃの操作力を適切な出力に変換することができる。
【実施例】
【００３４】
図１２乃至図１５に示す本発明の他の実施形態について説明する。なお、他の実施形態の説明に当って、第１実施形態と同一の部分には同一又は同様の符号を付して重複する説明を割愛する。
【００３５】
図１２及び図１３は本発明の第２実施形態を示す各説明図である。この第２実施形態が第１実施形態と主に異なる点は、縦長状のバネ受け部材２５を変換ケース１１の後壁に沿って固定的に設けた点、このバネ受け部材２５の手前側の垂直壁２５ａ、該垂直壁に対向する向こう側の不番の垂直壁に弧状の案内長孔２６を形成した点、このバネ受け部材２５の上端部にストッパー機能及びケース蓋取り付け機能を有する横柱２７を設けた点、バネ受け部材２５はケース状に形成され、該ケース状のバネ受け部材２５の垂直壁２５ａの外側にハンドルカム１２の駆動腕１２ｂの先端部（駆動部分）が位置している点、前記駆動腕１２ｂの先端部に駆動ピン２８が設けられ、この駆動ピン２８は前記弧状案内長孔２６に嵌挿されていると共に、ケース状バネ受け部材２５内に入り込んだスライダー１４の突起状受部１４ｂの貫通孔２９を貫通している点、ケース状バネ受け部材２５に復帰バネ１３の上端部に外嵌合するキャップ状の付勢体３０が内装されている点、ケース状バネ受け部材２５に内装された復帰バネ１３は、駆動腕１２ｂの駆動ピン２８に圧接する前記付勢体３０を介して伸縮する点である。この第２実施形態は、実施化レベルのもので、付勢手段１３、３０をスムースに作動させる利点がある。
【００３６】
図１４及び図１５は本発明の第３実施形態を示す各説明図である。この第３実施形態が第１実施形態を回避するために設計変更したものである。これらの図に於いて、１２Ａは駆動部材としての主動ギヤで、該主動ギヤ１２Ａはハンドルカムに相当する。１２ｂはハブ部分１２ａに扇状に連設する駆動部分に弧状に形成された駆動歯１２ｂで、該駆動歯１２ｂは駆動腕１２ｂの先端部に相当する。１４Ａは主動ギヤ１２Ａに同期的に連動するラックで、このラック１４Ａは、前記駆動歯１２ｂと係合（噛合）する一方（下方）の第１係合歯１４ｂと、従動ギヤ２２Ａに係合（噛合）する他方（上方）の第２係合歯１８とを有する。このラック１４Ａはスライダー１４に相当する。なお、５ｂ、５ｃは錠部の構成部材である。
【００３７】
したがって、この第３実施形態の錠前用動力変換装置Ｘ１は、変換ケース１１に回転自在に支持されかつ外側ハンドル２ｃの操作力で所定量回転する主動ギヤ１２Ａと、この主動ギヤ１２Ａと噛合し、該主動ギヤ１２Ａの駆動力によってかつ復帰バネ１３のバネ力に抗して変換ケース１１の上下方向へ移動するラック１４Ａと、このラック１４Ａに係合すると共に、前記主動ギヤ１２Ａと別個独立し、しかも該主動ギヤに連動するように前記変換ケース１１に回転自在に支持され、かつ前記外側ハンドル２ｃの操作時に該主動ギヤ１２Ａの回転量よりも回転量が大きい従動ギヤ（或いは第１実施形態の連動カム）２２Ａから成る。
【００３８】
図１６は、内側操作部材の一例を操作した時の説明図である。内側操作部材６は、長杆状のパニックバー６ｂ（図８参照）である。このパニックバー６ｂは、図面左側の基端部が長尺状の取付け基板４０の架設された垂直軸４１に軸支され、一方、折り曲げ形成された自由端部４２は、錠箱５ａに設けられた垂直軸４３に回転自在に軸支された第１作動板４４の扇状係合部４４ａの一端面に押圧可能である。なお、パニックバー６ｂを手で押し込むと、パニックバー６ｂは、図示しないバネ部材のバネ力に抗して矢印方向（錠箱５ａ側）に接近する。すなわち、パニックバー６ｂを矢印方向へプッシュすると、その自由端部４２が扇状係合部４４ａの端面を押圧するので、第１作動板４４は垂直軸４３を中心にして矢印方向へと回転する。そうすると、錠箱５ａに設けられた変換軸２３を有する第２作動体４５が回転する。この時第２作動体４５の突起部分４５ａの端面に第１作動板４４の扇状係合部４４ａの他端面が当たる。その結果、変換軸２３と協働する錠前の作動部材（例えばサムターンダルマ）が回転し、錠止ボルト５ｃが錠箱５ａ内へ後退する。
【産業上の利用可能性】
【００３９】
本発明は錠前及び建具の分野で利用される。
【符号の説明】
【００４０】
Ｘ、Ｘ１…錠前用動力変換装置、１…扉、２…台座部材（ハンドルユニット）、２ｃ…外側ハンドル、５…錠前、６…内側操作部材、１１…変換ケース、１２、１２Ａ…駆動部材（ハンドルカム、主動ギヤ）、１２ｂ…駆動部分（駆動腕、駆動歯）、１３…復帰バネ、１４…スライダー、１４Ａ…ラック、Ｙ…ハンドルロック装置、２２…連動カム。
【図１】
2014020048.tif 000003
【図２】
2014020048.tif 000004
【図３】
2014020048.tif 000005
【図４】
2014020048.tif 000006
【図５】
2014020048.tif 000007
【図６】
2014020048.tif 000008
【図７】
2014020048.tif 000009
【図８】
2014020048.tif 000010
【図９】
2014020048.tif 000011
【図１０】
2014020048.tif 000012
【図１１】
2014020048.tif 000013
【図１２】
2014020048.tif 000014
【図１３】
2014020048.tif 000015
【図１４】
2014020048.tif 000016
【図１５】
2014020048.tif 000017
【図１６】
2014020048.tif 000018